(57)【要約】  生体物質の量を安定的にかつ高精度に測定できる非侵襲型の生体物質測定装置を提供する。生体物質測定装置８０は、第１の光を放射する第１の光源３２と、表面と裏面を有し、一端から入射した第１の光が内部を透過して他端から出射するＡＴＲプリズム２０と、表面と裏面を有し、ＡＴＲプリズム２０の表面上に裏面が接するように配置されたハイパボリックメタマテリアル層９０と、ＡＴＲプリズム２０から出射された第１の光を検出する第１の光検出器３０と、を備え、検出された第１の光から生体中の生体物質の量を測定する。
2019176157.tif 000002
【特許請求の範囲】
【請求項１】
第１の光を放射する第１の光源と、
表面と裏面を有し、一端から入射した前記第１の光が内部を透過して他端から出射するＡＴＲプリズムと、
表面と裏面を有し、前記ＡＴＲプリズムの表面上に前記裏面が接するように配置されたハイパボリックメタマテリアル層と、
前記ＡＴＲプリズムから出射された前記第１の光を検出する第１の光検出器と、
を備え、
検出された前記第１の光から生体中の生体物質の量を測定する生体物質測定装置。
【請求項２】
前記ＡＴＲプリズムに入射した前記第１の光は、前記ＡＴＲプリズムの裏面と、前記ＡＴＲプリズムの表面および／または前記ハイパボリックメタマテリアル層の表面とで反射されて前記ＡＴＲプリズム中を透過し、
前記ハイパボリックメタマテリアル層を生体に接触させて、前記生体により吸収された前記第１の光の量から前記生体中の生体物質の量を測定する、請求項１に記載の生体物質測定装置。
【請求項３】
前記第１の光検出器は、その表面に、互いに離れて、１方向にまたは互いに交差する２方向に一定の周期で配置された、少なくとも表面が金属からなる複数の凹部または凸部を有し、
前記一定の周期は、前記第１の光の入射によって前記凹部または前記凸部に表面プラズモンが発生する周期である、
請求項１または２に記載の生体物質測定装置。
【請求項４】
前記第１の光源、前記ＡＴＲプリズム、前記第１の光検出器および前記ハイパボリックメタマテリアル層は、前記ＡＴＲプリズムから出射された前記第１の光が前記第１の光検出器の表面に垂直に入射するように配置された、請求項１〜３のいずれかに記載の生体物質測定装置。
【請求項５】
前記第１の光は赤外光である、請求項１〜４のいずれかに記載の生体物質測定装置。
【請求項６】
第２の光を放射する第２の光源を更に備え、
前記ＡＴＲプリズムに入射した前記第１の光は、前記ＡＴＲプリズムの裏面と、前記ＡＴＲプリズムの表面および／または前記ハイパボリックメタマテリアル層の表面とで反射されて前記ＡＴＲプリズム中を透過し、
前記ハイパボリックメタマテリアル層を生体に接触させた状態で前記生体に前記第２の光を照射し、前記生体中の生体物質が前記第２の光を吸収して生じた熱による前記第１の光の変化から前記生体物質の量を測定する、
請求項１または２に記載の生体物質測定装置。
【請求項７】
前記第１の光の前記変化は、前記熱による前記ＡＴＲプリズムおよび／または前記ハイパボリックメタマテリアル層の屈折率の変化に起因する前記第１の光の出射角度の変化である、請求項６に記載の生体物質測定装置。
【請求項８】
前記第１の光検出器は、異なる位置に配置された複数の第１の光検出器であり、
前記生体物質の量は、前記異なる位置におけるそれぞれの第１の光の強度と位置データとを用いて算出される、請求項６または７に記載の生体物質測定装置。
【請求項９】
前記第１の光は可視光であり、前記第２の光は赤外光である、請求項６〜８のいずれかに記載の生体物質測定装置。
【請求項１０】
前記第１の光源は、互いに異なる波長の第１の光を放射する複数の第１の光源である、請求項６〜９のいずれかに記載の生体物質測定装置。
【請求項１１】
前記ハイパボリックメタマテリアル層は、金属を含む金属層と誘電体層とが交互に積層された構造を有する、請求項１〜１０のいずれかに記載の生体物質測定装置。
【請求項１２】
前記ハイパボリックメタマテリアル層の層数、厚さおよび材料は、前記ハイパボリックメタマテリアル層に前記第１の光が入射することによって表面プラズモン共鳴が生じるように決定された、請求項１１に記載の生体物質測定装置。
【請求項１３】
前記ハイパボリックメタマテリアル層の層数、厚さおよび材料は、温度変化によって前記ハイパボリックメタマテリアル層の光学定数が変化するように決定された、請求項１１または１２に記載の生体物質測定装置。
【請求項１４】
前記ハイパボリックメタマテリアル層の前記金属層の厚さおよび／または前記誘電体層の厚さは、前記第１の光の波長の１／４より小さい、請求項１１〜１３のいずれかに記載の生体物質測定装置。
【請求項１５】
前記ハイパボリックメタマテリアル層の前記金属層と前記誘電体層のうち少なくとも一層は、他の層の厚さと異なる厚さを有し、前記他の層の厚さは等しい、請求項１１〜１４のいずれかに記載の生体物質測定装置。
【請求項１６】
前記ハイパボリックメタマテリアル層は、金属を含み、前記ハイパボリックメタマテリアル層の厚さ方向を中心軸とする柱形状を有する金属ロッドと、前記金属ロッドの前記中心軸に垂直な径方向の周囲を埋める誘電体と、を含む、請求項１〜１０のいずれかに記載の生体物質測定装置。
【請求項１７】
前記ハイパボリックメタマテリアル層の金属ロッドは、前記径方向に１次元的または２次元的に周期的に配列され、前記金属ロッドの太さ、配列の周期および材料は、前記ハイパボリックメタマテリアル層に前記第１の光が入射することによって表面プラズモン共鳴が生じるように決定された、請求項１６に記載の生体物質測定装置。
【請求項１８】
前記ハイパボリックメタマテリアル層の金属ロッドは、前記径方向に１次元的または２次元的に周期的に配列され、前記金属ロッドの太さ、配列の周期および材料は、温度変化によって前記ハイパボリックメタマテリアル層の光学定数が変化するように決定された、請求項１６または１７に記載の生体物質測定装置。
【請求項１９】
前記ハイパボリックメタマテリアル層の前記金属ロッドの太さおよび／または配列の周期は、前記第１の光の波長の１／４より小さい、請求項１６〜１８のいずれかに記載の生体物質測定装置。
【請求項２０】
前記金属ロッドのうちの少なくとも１つは、他の金属ロッドの太さと異なる太さを有する、請求項１６〜１９のいずれかに記載の生体物質測定装置。
【請求項２１】
前記金属は、グラフェンを含む、請求項１１〜２０のいずれかに記載の生体物質測定装置。
【発明の詳細な説明】
【技術分野】
【０００１】
本発明は、生体物質測定装置に関し、特に、赤外光を用いて生体内に存在する糖などの生体物質を測定する生体物質測定装置に関する。
【背景技術】
【０００２】
血糖などの生体中の物質の成分を測定する生体物質測定装置には、穿刺または採血を利用する侵襲型のものと、これらを利用しない非侵襲型のものがある。日常的に利用される血糖値測定装置（血糖値センサ）は、患者の苦痛緩和のため、非侵襲型の測定装置であることが望ましい。非侵襲型血糖値測定装置として、糖の指紋スペクトルの検出を可能にする赤外光を利用したセンサが考えられる。例えば特許文献１は、プリズム内で赤外光を複数回反射させ、表面プラズモン共鳴による赤外光の減衰率を向上させ、これにより、センサの感度を向上させる血糖値センサを開示している（たとえば、［００５７］参照）。
【先行技術文献】
【特許文献】
【０００３】
【特許文献１】特開２０１２−０７０９０７号公報
【発明の概要】
【発明が解決しようとする課題】
【０００４】
しかし、赤外光は、皮膚内の水に多量に吸収されるため、皮膚表面までしか到達することができない。したがって、従来の技術では、皮膚内部のグルコースなどの糖による赤外光の吸収の効果と、水による赤外光の吸収の効果とを有意に識別することができず、良好な信号対雑音比（Signal-to-Noise ratio、ＳＮ比）を得ることができない。このため、血糖値を安定的にかつ高精度に測定することができない。【０００５】
そこで、本発明は、生体物質の量を安定的にかつ高精度に測定することができる非侵襲型の生体物質測定装置を得ることを目的とする。
【課題を解決するための手段】
【０００６】
本発明の一態様は、第１の光を放射する第１の光源と、表面と裏面を有し、一端から入射した第１の光が内部を透過して他端から出射するＡＴＲプリズムと、表面と裏面を有し、ＡＴＲプリズムの表面上に裏面が接するように配置されたハイパボリックメタマテリアル層と、ＡＴＲプリズムから出射された第１の光を検出する第１の光検出器と、を備え、検出された第１の光から生体中の生体物質の量を測定する生体物質測定装置を提供する。
【発明の効果】
【０００７】
本発明により、生体物質の量を安定的にかつ高精度に測定することができる非侵襲型の生体物質測定装置を得ることができる。
【図面の簡単な説明】
【０００８】
【図１】本発明の実施の形態１による非侵襲血糖値測定装置の使用例を表す模式図である。
【図２】本発明の実施の形態１による非侵襲血糖値測定装置の構成を示す模式図である。
【図３】本発明の実施の形態１による非侵襲血糖値測定装置のハイパボリックメタマテリアルの一例の模式的な断面図である。
【図４】本発明の実施の形態１による非侵襲血糖値測定装置のハイパボリックメタマテリアルの他の例の模式的な断面図である。
【図５ａ】本発明の実施の形態１による非侵襲血糖値測定装置のハイパボリックメタマテリアルの更なる他の例の模式的な上面図である。
【図５ｂ】図５ａのハイパボリックメタマテリアルを示す斜視図である。
【図５ｃ】図５ｂのハイパボリックメタマテリアルの部分断面斜視図である。
【図６】本発明の実施の形態１による非侵襲血糖値測定装置のハイパボリックメタマテリアルの更なる他の例の模式的な上面図である。
【図７】縦軸をｋｚ、横軸をｋｘとした、通常の物質の分散関係を示す図である。
【図８】縦軸をｋｚ、横軸をｋｘとした、ハイパボリックメタマテリアルの分散関係を示す図である。
【図９】ＡＴＲプリズム、ハイパボリックメタマテリアルおよび皮膚の中を進行する赤外光およびエバネッセント波の光路を示す模式図である。
【図１０】糖による赤外光の吸収スペクトルを示す図である。
【図１１】本発明の実施の形態１による非侵襲血糖値測定装置の赤外光検出器の構成例を示す斜視図である。
【図１２】本発明の実施の形態１による非侵襲血糖値測定装置の赤外光検出器の光素子の上面図である。
【図１３】図１２の光素子をＸ−Ｘ方向に見た断面図である。
【図１４】本発明の実施の形態１による非侵襲血糖値測定装置の赤外光検出器の光素子の吸収体を示す斜視図である。
【図１５】本発明の実施の形態２による非侵襲血糖値測定装置の構成を示す模式図である。
【図１６】本発明の実施の形態２の変形例１による非侵襲血糖値測定装置の構成を示す模式図である。
【図１７】本発明の実施の形態２の変形例２による非侵襲血糖値測定装置の構成を示す模式図である。
【発明を実施するための形態】
【０００９】
以下、本発明の実施の形態による生体物質測定装置について、図面を参照して説明する。各実施の形態において、同一の構成には同一の符号を付して、説明を省略する。
【００１０】
実施の形態１．
図１は、全体が８０で表される、本発明の実施の形態１による非侵襲血糖値測定装置の使用例を表す模式図である。非侵襲血糖値測定装置８０のヘッド（遠位端）８０ａを被験者の皮膚に接触させて、被験者の血糖値を測定する。非侵襲血糖値測定装置８０のヘッド８０ａを接触させる皮膚は、角質が薄い唇が望ましいが、これに限定されるものではなく、例えば、頬、耳たぶ、手の甲の皮膚などであってもよい。
【００１１】
図２は、本発明の実施の形態１による非侵襲血糖値測定装置８０の構成を示す模式図である。非侵襲血糖値測定装置８０は、生体物質の吸収波長域（８．５μｍ〜１０μｍ）の全部または一部の波長域を有する赤外光を放射する赤外光源３２と、赤外光源３２から出射された赤外光が透過するＡＴＲプリズム２０と、ＡＴＲプリズム２０から出射された赤外光の強度を検出する赤外光検出器３０とを備える。非侵襲血糖値測定装置８０は、非侵襲血糖値測定装置８０のヘッド８０ａに形成されたハイパボリックメタマテリアル９０を更に備える。言い換えれば、ハイパボリックメタマテリアル９０は、ＡＴＲプリズム２０の上に形成されている。
【００１２】
赤外光源３２は、例えば、量子カスケードレーザモジュールである。量子カスケードレーザは、単一光源であり、出力が大きく、ＳＮ比が高いため、高精度な測定が可能となる。量子カスケードレーザモジュールには、ビームをコリメートするためのレンズが搭載される。
【００１３】
赤外光源３２から放出された赤外光は、ＡＴＲプリズム２０に入射する。入射された赤外光は、全反射を繰り返しながらＡＴＲプリズム２０の中を透過し、その後ＡＴＲプリズム２０から出射される。すなわち、模式的には、赤外光源３２から放出された赤外光は、ＡＴＲプリズム２０の端面２０ｃで反射される。反射された赤外光は、ＡＴＲプリズム２０内を通って端面２０ｂで反射され、次にＡＴＲプリズム２０内を通って端面２０ａに到達してハイパボリックメタマテリアル９０内を透過し、被験者の皮膚４９に接触するハイパボリックメタマテリアル９０の表面（遠位端面）で反射され、次にハイパボリックメタマテリアル９０内とＡＴＲプリズム２０内を通って再びＡＴＲプリズム２０の端面２０ｂで反射される。ハイパボリックメタマテリアル９０の表面における反射と、ＡＴＲプリズム２０の端面２０ｂにおける反射を繰り返して、赤外光はＡＴＲプリズム２０の端面２０ｄに到達し、そこで反射されてＡＴＲプリズム２０から出射される。
【００１４】
赤外光が出射するＡＴＲプリズム２０の部分には、無反射コーティングが施されてもよい。あるいは、赤外光源３２から放出される赤外光をｐ偏光にして、赤外光の入射角および出射角がブリュスター角になるようにＡＴＲプリズム２０を加工してもよい。
【００１５】
ＡＴＲプリズム２０の材料は、例えば、中赤外領域の波長を有する光に対して透明であり、かつ屈折率が比較的小さな硫化亜鉛（ＺｎＳ）の単結晶である。ＡＴＲプリズム２０の材料は、セレン化亜鉛（ＺｎＳｅ）などの公知の材料であってもよい。しかし、ＡＴＲプリズム２０の材料は、これらに限定されない。
【００１６】
ＡＴＲプリズム２０またはハイパボリックメタマテリアル９０の皮膚４９に接触する部分には、人体に害を与えないように、ＳｉＯ２またはＳｉＮなどを含む薄膜がコーティングされてもよい。
【００１７】
ＡＴＲプリズム２０から出射された赤外光は、赤外光検出器３０に入る。赤外光検出器３０は、例えば、ＭＥＭＳ（Micro Electro Mechanical Systems）型測定装置、またはサーモパイルなど非冷却測定装置を搭載したモジュールである。赤外光検出器３０は、プリアンプなどの電気回路と、赤外光検出器３０に入射した赤外光を測定装置の素子へ集光するためのレンズとを備える。赤外光検出器３０の更なる詳細は後述する。
【００１８】
非侵襲血糖値測定装置８０は、赤外光源３２および赤外光検出器３０に電気的に接続された制御部５２を更に備える。制御部５２は、赤外光源３２の発振、赤外光源３２から放射される赤外光の波長、および強度などを制御することができる。また、制御部５２は、検出された赤外光の強度データを赤外光検出器３０から受け取り、それに基づいて生体中の血糖値の濃度を算出する。
【００１９】
非侵襲血糖値測定装置８０は、制御部に電気的に接続されたユーザインタフェース５４を更に備える。ユーザインタフェース５４は、例えば、測定開始手段、測定条件設定手段などをユーザに表示するディスプレイ５０１と、測定状況（例えば、測定開始および完了）を振動および音声によりユーザにそれぞれ知らせるバイブレータ５０２およびスピーカ５０３と、ユーザが測定開始操作、測定条件設定操作などを行うためのキーボード５０４とを含む。
【００２０】
図３は、ハイパボリックメタマテリアル９０の一例の模式的な断面図を示している。ハイパボリックメタマテリアル９０は、金属層９１と誘電体層９２が交互に積層された多層構造を有する。金属層９１と誘電体層９２の厚さは、使用される波長の１／４未満の厚さであることが望ましい。例えば、糖を検出するために赤外光を使用する場合、金属層９１と誘電体層９２の厚さは、それぞれ約１０ｎｍである。図３では、ハイパボリックメタマテリアル９０は８層構造を有するが、層の数はこれに限定されない。
【００２１】
ハイパボリックメタマテリアル９０の金属層９１は、使用される光の波長域で表面プラズモンが生じる材料からなる。糖などの生体物質を検出する赤外光の波長を使用する非侵襲血糖値測定装置８０では、ハイパボリックメタマテリアル９０の金属層９１は、例えば金または銀である。ハイパボリックメタマテリアル９０の金属層９１は、窒化チタンなどの化合物またはグラフェンからなる層であってもよい。特に、赤外光を用いる場合、グラフェンは光損失が少ない材料であるため、有利である。あるいは、ハイパボリックメタマテリアル９０の金属層９１は、半導体材料からなる層であってもよい。半導体材料は、ドーピング濃度を調整することにより所望の物性を得ることができるため、有利である。
【００２２】
ハイパボリックメタマテリアル９０の誘電体層９２は、酸化シリコン（ＳｉＯ２）、窒化シリコン（ＳｉＮ）、酸化アルミ（Ａｌ２Ｏ３）またはフッ化マグネシウム（ＭｇＦ２）であることが好ましいが、本発明は、これに限定されない。
【００２３】
図４は、９５で表される、ハイパボリックメタマテリアルの他の例を示す模式的な断面図である。ハイパボリックメタマテリアル９５は、金属層９１と誘電体層９２の積層構造の中に、少なくとも一層の欠陥層９３を含む。本明細書では、「欠陥」とは、周囲の規則性と異なることを意味する。欠陥層９３の厚さは、金属層９１および誘電体層９２の厚さと異なる。欠陥層９３は、金属層または誘電体層である。
【００２４】
ハイパボリックメタマテリアルの周期的な積層構造においては、層の数、層厚および材料などを調整することによって、機能する波長域を設計することができる。周期的な積層構造の中に、周期を乱す欠陥層９３を導入することにより、特定の波長の光を欠陥層９３の中に閉じ込めること、または特定の波長の光の透過率を向上させることができる。例えば、グルコースなどの生体物質に吸収される波長を有する赤外光はそのまま透過させる一方で、可視光に関しては、積層構造の分散関係をハイパボリックメタマテリアルの分散関係とすることができる。
【００２５】
以上のように、欠陥層９３を導入することによって、波長に応じて積層構造の分散関係を制御することができる。また、測定の自由度を向上させることができる。したがって、測定の精度を向上させることができる。以下の実施の形態２でも、欠陥層９３が導入されてもよく、その効果は上記のものと同様である。
【００２６】
図５ａ〜５ｃは、９６で表される、ハイパボリックメタマテリアルの他の例を示す図である。図５ａは、ハイパボリックメタマテリアル９６の上面図である。図５ｂは、ハイパボリックメタマテリアル９６の斜視図である。図５ｃは、図５ａの５ｃ−５ｃ線で切断したハイパボリックメタマテリアル９６の部分断面を示す部分断面斜視図である。
【００２７】
ハイパボリックメタマテリアル９６は、複数の金属ロッド９１ａと、金属ロッド９１ａの周囲を埋める誘電体９２ａと、からなる。図５ａ〜５ｃの例では、金属ロッド９１ａは、底面の形状が直径Ｄの円である円柱形状を有する。あるいは、金属ロッド９１ａの形状は、底面の形状が円形の円柱形状に限定されず、ハイパボリックメタマテリアルの特性を満たせば、底面の形状が楕円の円柱、底面の形状が正方形あるいは長方形の四角柱でもよい。金属ロッド９１ａは、図５ａの上面図に示すように、平面視において周期Ｐで径方向に２次元的に並んでいる。金属ロッド９１ａは、前述の金属層９１（図３および図４参照）と同様に、使用される光の波長域で表面プラズモンが生じる材料からなる。
【００２８】
金属ロッド９１ａの太さＤおよび周期Ｐは、使用される波長の１／４未満の厚さであることが望ましい。例えば、糖を検出するために赤外光を使用する場合、金属ロッド９１ａの太さおよび周期Ｐは、それぞれ約１０ｎｍである。図５ａ〜５ｃは金属ロッド９１ａの配置の一例を示すものに過ぎず、金属ロッド９１ａの配置はこれに限定されない。
【００２９】
図６は、９７で表される、ハイパボリックメタマテリアルの他の例を示す上面図である。ハイパボリックメタマテリアルの周期的な構造においては、金属ロッド９１ａの数、太さ、周期および材料などを調整することによって、機能する波長域を設計することができる。図６に示すハイパボリックメタマテリアル９７は、金属ロッド９１ａの大きさおよび周期等の規則性を乱す欠陥ロッド９１ｂを備える。欠陥ロッド９１ｂは、例えば、金属ロッド９１ａと同一の材料からなるが、金属ロッド９１ａと異なる太さＥを有する。このように規則性を有する構造の中に、規則性を乱す欠陥ロッド９１ｂを導入することにより、特定の波長の光を欠陥ロッド９１ｂの周囲に閉じ込めること、または特定の波長の光の透過率を向上させることができる。
【００３０】
図６では、金属ロッド９１ａの中から特定の金属ロッドを選択し、選択された金属ロッドの太さを大きくすることによって、欠陥領域である欠陥ロッド９１ｂを形成している。欠陥領域の形成方法はこれに限定されず、例えば、金属ロッド９１ａの形状を円柱から四角柱に変更する、金属ロッド９１ａの配列の周期を乱す位置に金属ロッドを配置する、金属ロッド９１ａの材料を変更する等の方法によって欠陥領域を形成してもよい。
【００３１】
以上のような欠陥ロッド９１ｂを導入することにより、例えば、グルコースなどの生体物質に吸収される波長を有する赤外光はそのまま透過させる一方で、可視光に関しては、積層構造の分散関係をハイパボリックメタマテリアルの分散関係とすることができる。
【００３２】
次に、非侵襲血糖値測定装置８０による血糖値測定の原理について説明する。ＡＴＲプリズム２０とハイパボリックメタマテリアル９０との界面および／またはハイパボリックメタマテリアル９０と皮膚４９との界面で赤外光が全反射すると、エバネッセント波が発生する。このエバネッセント波が皮膚４９内に侵入し、被測定者の生体内の糖などの生体物質によって吸収される。このようにエバネッセント波が吸収されることにより、赤外光の強度が減衰する。生体物質が多いと、エバネッセント波がより多く吸収されるため、赤外光の強度の減衰も大きくなる。
【００３３】
皮膚４９は、表面付近の表皮と、表皮の下の真皮とによって構成される。表皮は、表面付近から順に角質層、顆粒層、有棘層、および基底層を含む。それぞれの厚みは、１０μｍ、数μｍ、１００μｍ、数μｍ程度である。基底層において細胞が生成されて、有棘層に細胞が積み上げられる。有棘層の上の顆粒層には水分（組織間質液）が届かないため、細胞が死に絶える。顆粒層の上の角質層では、死んだ細胞が硬化した状態になっている。糖およびその他の生体物質は、表皮中の組織間質液中に存在している。組織間質液は、角質層から有棘層にかけて増加する。したがって、エバネッセント波の皮膚内への侵入長に応じて、全反射した赤外光の減衰の程度も変化する。
【００３４】
エバネッセント波の強度は、反射面から皮膚の方向に指数関数的に減衰し、皮膚内への侵入長は赤外光の波長程度である。したがって、非侵襲血糖値測定装置８０において、糖に吸収される８．５μｍ〜１０μｍの波長の赤外光を使用した場合、皮膚表面から８．５μｍ〜１０μｍの深さの位置までに存在する糖の量を検出することができる。
【００３５】
次に、ハイパボリックメタマテリアル９０の特性について説明する。まず、一般的に、平坦な薄膜の性質を記述する。互いに垂直なｘ軸とｙ軸があり、薄膜がｘｙ平面内に広がっているものとする。ｘ軸およびｙ軸に垂直な方向をｚ方向とする。ｘ、ｙおよびｚ軸方向の波数をそれぞれｋｘ、ｋｙおよびｋｚとする。誘電率εおよび透磁率μは、以下のように書ける。
【００３６】
【数１】
2019176157.tif 000003
【数２】
2019176157.tif 000004
【００３７】
薄膜の材料が一軸性結晶である場合（すなわち、εxx＝εyy≠εzzである場合）、εxx＝εyy≡ε⊥、εzz＝ε‖、μxx＝μyy≡μ⊥、μzz＝μ‖と書けるので、誘電率εおよび透磁率μは、それぞれ式（３）および式（４）のように書ける。
【００３８】
【数３】
2019176157.tif 000005
【数４】
2019176157.tif 000006
【００３９】
一般的に、光の分散関係は、次の式（５）で表される。
【００４０】
【数５】
2019176157.tif 000007
ここで、ωは光の周波数であり、ｃは光の速度である。
【００４１】
通常の物質（すなわち、ハイパボリックメタマテリアルでない物質）では、ε‖とε⊥の値は等しく、かつ正の値である。つまり、次の式（６）が満たされる。
【００４２】
【数６】
2019176157.tif 000008
【００４３】
図７は、縦軸をｋｚ、横軸をｋｘとして、通常の物質（すなわち、ハイパボリックメタマテリアルでない物質）の分散関係を示している。図７中のＳは、ポインティングベクトルを表す。このように、波数空間に表された分散関係は、球であり、閉じている。
【００４４】
以上の通常の物質に対し、電気的なハイパボリックメタマテリアルは、以下の式（７）かつ式（８）、または式（７）かつ式（９）を満たす物質である。
【００４５】
【数７】
2019176157.tif 000009
【数８】
2019176157.tif 000010
【数９】
2019176157.tif 000011
【００４６】
したがって、電気的なハイパボリックメタマテリアルについての分散関係は、図８のように双曲線（ハイパボリック）形となる。したがって、どのように大きな波数であっても存在することが可能である。つまり、ハイパボリックメタマテリアルの中では、エバネッセント波が減衰しない。
【００４７】
さらに、本発明の実施の形態１による非侵襲血糖値測定装置８０では、皮膚４９と接触するハイパボリックメタマテリアル９０の材料と層の厚さなどを調整することにより、皮膚４９とハイパボリックメタマテリアル９０との間の屈折率の差を小さくする（屈折率をマッチングさせる）ことができる。そのため、ハイパボリックメタマテリアル９０を備える本発明の実施の形態１による非侵襲血糖値測定装置８０を用いた場合、従来の表面プラズモンを利用した血糖値センサに比べて、皮膚４９中へのエバネッセント波の侵入長が長くなる。したがって、本発明の実施の形態１による非侵襲血糖値測定装置８０により、皮膚中のグルコースを高感度に検知することができる。
【００４８】
なお、ハイパボリックメタマテリアルの分散関係を示す双曲線は、図８のように分離したものでない場合もある（例えば、“Poddubny, A.; Iorsh, I.; Belov, P.; Kivshar, Y. Hyperbolic metamaterials. Nature Photonics 2013, 7, 948-957.”参照）。
【００４９】
図９は、ＡＴＲプリズム２０、ハイパボリックメタマテリアル９０および皮膚４９の中を進行する赤外光およびエバネッセント波の光路を示す模式図である。ＡＴＲプリズム２０の中を進行した赤外光がＡＴＲプリズム２０とハイパボリックメタマテリアル９０の界面に到達すると、ハイパボリックメタマテリアル９０の中に、赤外光および／または界面での全反射により発生したエバネッセント波が伝搬する。
【００５０】
ハイパボリックメタマテリアル９０の中に赤外光のみ、エバネッセント波のみ、またはこれらの両方のいずれが侵入するかは、ハイパボリックメタマテリアル９０の層厚、層数および材料などを調整することにより選択することができる。
【００５１】
上で述べたように、皮膚４９中へのエバネッセント波の侵入長が長くなるため、入射波と反射波の位相マッチングに要する距離（グースハンチェンシフト、図９中のａに相当）が大きくなる。
【００５２】
さらに、ハイパボリックメタマテリアル９０中では、通常の材料に比べて、光の反射角度の波長依存性が大きくなる。つまり、測定対象である波長の光と他の波長の光とがハイパボリックメタマテリアル９０から出射される場合、通常の材料から出射される場合に比べて、測定対象である波長の光の出射角度と他の波長の光の出射角度との差が大きい。したがって、測定対象である波長の光が入射する位置に赤外光検出器３０を設置すれば、赤外光検出器３０には他の波長の光が入射しないため、他の波長の光に起因するノイズを検出することがない。よって、ハイパボリックメタマテリアル９０を用いた場合、ＳＮ比が良好となり、高精度の測定を行うことができる。
【００５３】
ハイパボリックメタマテリアル９０は、スパッタにより金属と絶縁層を交互に積層することで容易に製造できる。ハイパボリックメタマテリアル９０の金属層９１の材料にグラフェンを採用する場合は、銅箔上に化学的気相成長によって形成したグラフェンを絶縁膜上に転写する。あるいは、スクリーン印刷または溶液塗布方法などによってグラフェンを形成してもよい。
【００５４】
以上では、本発明の実施の形態１による非侵襲血糖値測定装置８０の測定対象は、血糖値であった。図１０は、糖による赤外光の吸収スペクトルを示している。しかし、測定対象は血糖値に限定されず、他の生体物質の量であってもよい。
【００５５】
また、以上では、赤外光を利用する非侵襲血糖値測定装置８０について説明したが、利用される光は、赤外光に限定されない。非侵襲血糖値測定装置８０は、赤外光の代わりに、例えば可視光、ＴＨｚ領域の波長の光を利用するものであってもよい。
【００５６】
以上のように、本発明の実施の形態１による非侵襲血糖値測定装置８０を用いることによって、従来の血糖値センサに比べて、皮膚中へのエバネッセント波の侵入長が長くなり、皮膚中の生体物質による赤外光の吸収が多くなる。また、入射波と反射波の位相マッチングに要する距離（グースハンチェンシフト）が大きくなる。さらに、測定対象である波長の光の出射角度と他の波長の光の出射角度との差が大きく、他の波長の光を検出することなく測定対象である波長の光を検出することができ、高精度の測定を行うことができる。
【００５７】
次に、非侵襲血糖値測定装置８０含まれる赤外光検出器３０の構成について詳細に説明する。
【００５８】
図１１は、赤外光検出器３０の構成例を示す斜視図である。図１１には、説明の便宜を図るため、Ｘ軸と、Ｘ軸に垂直なＹ軸と、Ｘ軸およびＹ軸に垂直なＺ軸を示している。赤外光検出器３０は、ＸＹ平面に平行な基板１と、基板上に配置されたセンサアレイ１０００と、センサアレイ１０００の周囲に配置された検出回路１０１０とを備える。センサアレイ１０００は、互いに直交する２方向（Ｘ方向、Ｙ方向）にマトリックス状（アレイ状）に配置された複数の画素（半導体光素子）１００を含む。図１１には、５４個（９×６個）の光素子１００が示されている。検出回路１０１０は、各光素子１００が検出した信号を処理する。検出回路１０１０は、光素子１００が検出した信号を処理することによって、画像を検出してもよい。非侵襲血糖値測定装置８０において、赤外光検出器３０は、センサアレイ１０００の光素子１００に垂直に（Ｚ軸に平行な方向から）赤外光が入射するように配置される。
【００５９】
光素子１００は、例えば熱型の赤外線センサである。
【００６０】
図１２は、光素子１００の上面図である。図１２では、光素子１００の構造を明瞭に示すために、配線上の保護膜、反射膜および後述の吸収体は省略されている。図１３は、図１２の光素子１００をＸ−Ｘ方向に見た断面図である。図１３には、吸収体１０を省略せずに示す。
【００６１】
図１３に示すように、基板１上には中空部２が設けられている。中空部２の上には、温度を検知する温度検知部４が配置される。温度検知部４は、２本の支持脚３によって支持されている。支持脚３は、図２に示すように、上方から見るとＬ字型に折れ曲がったブリッジ形状を有する。支持脚３は、薄膜金属配線６と、薄膜金属配線６を支える誘電体膜１６とを含む。
【００６２】
温度検知部４は、検知膜５と、薄膜金属配線６とを含む。検知膜５は、例えば、結晶シリコンを用いたダイオードからなり、温度によってその電気抵抗の値が変化するものである。薄膜金属配線６は、絶縁膜１２で覆われたアルミニウム配線７と検知膜５とを電気的に接続している。薄膜金属配線６は、例えば、厚さが約１００ｎｍのチタン合金からなる。検知膜５が出力した電気信号は、支持脚３に形成された薄膜金属配線６を経由してアルミニウム配線７に伝わり、検出回路１０１０（図１１）により取り出される。薄膜金属配線６と検知膜５との間、および薄膜金属配線６とアルミニウム配線７との間の電気的接続は、必要に応じて上下方向に延在する導電体（図示せず）を介して行われてもよい。
【００６３】
赤外線を反射する反射膜８は、中空部２を覆うように配置されている。ただし、反射膜８と温度検知部４とは熱的に接続されない。また、反射膜８は、支持脚３の少なくとも一部の上方を覆うように配置されている。
【００６４】
温度検知部４の上方には、支持柱９が設けられ、その上の吸収体１０を支持している。つまり、吸収体１０は、支持柱９によって温度検知部４に熱的に接続されている。したがって、吸収体１０で生じた温度変化が温度検知部４に伝わる。吸収体１０の裏面、つまり支持柱９側には、裏面からの光の吸収を防止する吸収防止膜１３が設けられている。吸収体１０の表面には、後述する金属膜（図１４の金属膜４２）が設けられているが、図１３には図示しない。
【００６５】
一方、吸収体１０は、反射膜８よりも上方に配置され、反射膜８とは熱的に接続されていない。吸収体１０は、反射膜８の少なくとも一部を覆い隠すように側方に（ＸＹ方向に）板状に広がっている。そのため、後述する図１４に示すように、光素子１００を上方から見ると、吸収体１０のみが見える。他の様態として、吸収体１０が温度検知部４の直上に直接形成されてもよい。
【００６６】
図１４は、光素子１００の吸収体１０を示す斜視図である。吸収体１０は、その表面に、特定の波長の光を選択的に吸収する波長選択構造部１１を含む。なお、波長選択構造部１１も光を吸収する場合があるので、波長選択構造部１１を含めて吸収体１０と呼ぶ。
【００６７】
光素子１００は、波長選択構造部１１において表面プラズモンを利用するものである。光の入射面に金属からなる周期構造を設けた場合、表面周期構造に応じた波長の光が入射すると、表面プラズモンが生じ、光の吸収が生じる。これを利用して、吸収体１０の表面を金属で形成し、入射光の波長、入射角度、および金属表面の周期構造のピッチｐを調整することによって、吸収体１０に吸収される光の波長を選択することができる。
【００６８】
本明細書では、光が入射された場合における、金属膜の内部の自由電子が寄与する表面モードの生成と、周期構造に起因する表面モードの生成とについて、光の吸収の観点からは同義とみなし、両者を区別することなく、両者を表面プラズモン、表面プラズモン共鳴、または単に共鳴と呼ぶ。また、上記の現象は、疑似表面プラズモン、メタマテリアルと呼ばれる場合もあるが、吸収に関する本質的な現象は同じであるため、これらを区別しない。
【００６９】
波長選択構造部１１は、本体４３と、本体４３上に形成された金属膜４２と、本体４３上に周期的に設けられた複数の凹部４５を備える。金属膜４２の材料は、表面プラズモン共鳴が生じるＡｕ、Ａｇ、Ｃｕ、Ａｌ、Ｎｉ、またはＭｏ等の金属から選択される。金属膜４２の材料は、表面プラズモン共鳴が生じるＴｉＮ等の金属窒化物、金属ホウ化物、金属炭化物等であってもよい。
【００７０】
金属膜４２の膜厚は、入射光が透過しない厚さであればよい。なぜなら、金属膜４２の膜厚がこのような厚さであれば、吸収体１０の表面における表面プラズモン共鳴のみが電磁波の吸収および放射に影響し、金属膜４２の下の材料は、吸収および放射に光学的な影響を与えないからである。入射光が透過しない厚さは、次の式（１０）で表される表皮効果の厚さ（skin depth）δ１に関連する。すなわち、金属膜４２の膜厚が、δ１の２倍（例えば１０ｎｍ〜数１００ｎｍ）以上の厚さであれば、入射光は金属膜４２をほとんど透過しない。したがって、吸収体１０より下への入射光の漏れ出しを充分に小さくできる。
【００７１】
【数１０】
2019176157.tif 000012
ここで、μは金属膜４２の透磁率、σは金属膜４２の電気伝導率、ωは入射光の角振動数を表す。
【００７２】
波長選択構造部１１の本体４３は、誘電体または半導体からなる。例えば、波長選択構造部１１の本体４３は、酸化シリコン（ＳｉＯ２）からなる。金属膜４２は、例えば金からなる。酸化シリコンの熱容量が金の熱容量より小さいため、酸化シリコンからなる本体４３と、金からなる金属膜４２とを有する吸収体１０は、金のみからなる吸収体に比べて熱容量が小さい。その結果、光素子１００の応答を速くすることができる。また、金などの金属のみからなる吸収体に比べて、コストを低減することができる。
【００７３】
波長選択構造部１１の凹部４５は、例えば直径４μｍ、深さ１．５μｍの円柱形状を有する。波長選択構造部１１には、この円柱形状の凹部４５が、周期（ピッチ）８μｍで正方格子状に配置される。この場合、吸収体１０に吸収される光の波長は、約８μｍである。円柱形状の凹部４５は、周期８．５μｍで正方格子状に配置されてもよい。この場合、吸収体１０に吸収される光の波長は、約８．５μｍである。
【００７４】
吸収体１０に吸収される光の波長（以下、「吸収波長」という。）および吸収体１０から放射される光の波長（以下、「放射波長」という。）と、凹部４５の周期ｐとの間の関係は、凹部４５の配置が正方格子状である場合と正方格子状以外の２次元周期構造である場合とでほぼ同じであることが見出された。すなわち、いずれの場合も、吸収波長と放射波長は、凹部４５の周期ｐによって決定される。
【００７５】
この点については、理論的には、周期構造の逆格子ベクトルを考慮すれば、正方格子配置においては、吸収波長および放射波長が周期ｐにほぼ等しいのに対して、三角格子配置では、吸収波長および放射波長は、周期ｐ×√３／２となるとも考えられる。しかしながら、実際には、凹部４５の直径ｄによって吸収波長および放射波長がわずかに変化するため、いかなる２次元周期構造であっても、ほぼ周期ｐと等しい波長の光が吸収または放射されるものと考えられる。
【００７６】
したがって、凹部４５の配置は、正方格子状に限られず、三角格子状などの正方格子状以外の２次元周期構造であってもよい。
【００７７】
以上のように、吸収体１０に吸収される光の波長は、凹部４５の周期ｐを調整することによって制御できる。凹部４５の直径ｄは、一般的に周期ｐの１／２以上であることが望ましい。凹部４５の直径ｄが周期ｐの１／２よりも小さい場合は、共鳴効果が小さくなり、入射光の吸収率が低下する傾向にある。ただし、共鳴は、凹部４５内の三次元的な共鳴であるため、直径ｄが周期ｐの１／２より小さくても、十分な吸収が得られる場合もある。したがって、周期ｐに対する直径ｄの値は、適宜、個別に設計されてもよい。重要なのは、吸収波長が主に周期ｐによって決定され、したがって周期ｐを調整することによって制御できることである。直径ｄが周期ｐに対してある値以上であれば、吸収体１０は、十分な吸収特性を有する。したがって、吸収体の設計条件を柔軟に決定することができる。
【００７８】
一方、表面プラズモンの分散関係から、吸収体１０吸収される光は、凹部４５の深さには無関係であり、周期ｐにのみ依存することが知られている。
【００７９】
以上では、凹部４５が周期的に配置された吸収体１０について説明した。しかし、吸収体１０の波長選択構造部１１には、表面上から突き出た凸部が周期的に配置されてもよい。このような構成でも、上記と同様の効果を有する。
【００８０】
また、以上では、凹部４５は円柱形状であったが、例えば、凹部４５を上面から見た形状は、長方形または楕円であってもよい。また、凹部４５の配置は、２次元周期配置に限られず、例えば１次元周期配置であってもよい。これらの場合、入射光の吸収は、入射光の偏光に依存する。例えば、光源から放射される光が偏光を有する場合、その偏光のみを吸収することができる吸収体１０を設計することができる。これにより、ＳＮ比を向上させることができる。
【００８１】
吸収体１０による入射光の吸収は、吸収体に対して入射光が垂直に入射される場合に最大となる。吸収体１０への入射角度が垂直からずれた場合、吸収波長が変化し、入射光の吸収率も小さくなる。
【００８２】
次に、吸収体１０の作製方法について説明する。誘電体または半導体からなる本体４３の表面上に、フォトリソグラフィとドライエッチングにより、周期的な凹部４５を形成する。その後、凹部４５を含む本体４３の表面全体の上に金属膜４２をスパッタ等により形成する。同様に、裏面上にも金属膜４２を形成する。なお、図に例示された凹部４５の直径ｄは数μｍ程度と小さいため、金属膜４２を直接エッチングして凹部を形成する工程よりも、本体４３をエッチングして凹部４５を形成した後に金属膜４２を形成する工程の方が、容易に実行可能である。
【００８３】
実施の形態２．
図１５は、全体が８１で表される、本発明の実施の形態２による非侵襲血糖値測定装置の構成を示す模式図である。非侵襲血糖値測定装置８１は、生体物質の吸収波長域（８．５μｍ〜１０μｍ）の全部または一部の波長域を有する赤外光を放射する赤外光源３２と、赤外光源３２から出射された赤外光が透過するＡＴＲプリズム２０と、ＡＴＲプリズム２０の上に形成されたハイパボリックメタマテリアル９０と、図示しない制御部と、図示しないユーザインタフェースとを備える。図１５は、使用時の図であり、非侵襲血糖値測定装置８１のヘッド上のハイパボリックメタマテリアル９０は、被測定者の皮膚４９に接触している。
【００８４】
本発明の実施の形態２による非侵襲血糖値測定装置８１は、ＡＴＲプリズム２０に向けて可視光を放射する可視光源７１と、ＡＴＲプリズム２０内を透過して出射された可視光の強度および位置を検出する可視光検出器７２とを更に備える。
【００８５】
可視光源７１から放出された可視光は、ＡＴＲプリズム２０に入射する。入射された可視光は、全反射を繰り返しながらＡＴＲプリズム２０の中を透過し、その後ＡＴＲプリズム２０から出射され、可視光検出器７２に入る。
【００８６】
赤外光源３２から放射された赤外光は、ＡＴＲプリズム２０とハイパボリックメタマテリアル９０を経由して、被測定者の皮膚４９に到達する。赤外光は、皮膚４９内の生体物質（例えばグルコース）に吸収され、これにより熱が発生する。発生した熱により、ＡＴＲプリズム２０の温度が上昇する。温度の上昇により、ＡＴＲプリズム２０の屈折率などの光学定数が変化し、ＡＴＲプリズム２０から出射される可視光の出射角度が変化する。出射角度が変化することにより、可視光が到達する位置が変化する。よって、可視光検出器７２により可視光が到達する位置を検出することにより、ＡＴＲプリズム２０の光学定数の変化を、したがって発生した熱を決定することができる。すなわち、生体物質の量が多いほど可視光の吸収量が多く、吸収量が多いほど、発生する熱も増加する。よって、生体物質の量が多いほど、ＡＴＲプリズム２０から出射される可視光の出射角度の変化は大きくなる。このようにして、皮膚４９内の生体物質の量を決定することができる。
【００８７】
可視光検出器７２の光素子が単画素の場合は、機械的にスキャンすることで出射光の到達位置を特定し、ＡＴＲプリズム２０からの可視光の出射角度の変化を算出することができる。
【００８８】
以上のように、赤外光を吸収することにより発生した熱を用いて、生体物質の量を判定することができる。この方法は、光・熱方式と呼ばれる。
【００８９】
このような測定装置において、ハイパボリックメタマテリアル９０をＡＴＲプリズム２０の上に形成することにより、ＡＴＲプリズム２０からの可視光の出射角度の変化を更に大きくすることができる。ハイパボリックメタマテリアル９０をＡＴＲプリズム２０の上に設けた場合、ＡＴＲプリズム２０に入射した可視光が、および／または、ＡＴＲプリズム２０とハイパボリックメタマテリアル９０との界面での可視光の全反射により発生したエバネッセント波が、ハイパボリックメタマテリアル９０内を通過する。ハイパボリックメタマテリアル９０の屈折率などの光学定数は、温度によって変化する。特に、ハイパボリックメタマテリアル９０を用いた場合、通常の分散関係をもつ物質を用いた場合と比較して、可視光の出射角度の変化の温度依存性が大きい。したがって、ハイパボリックメタマテリアル９０を用いることにより、可視光の出射角度を更に大きく変化させることができる。つまり、生体物質による可視光の吸収量がわずかであっても、出射角度の変化を大きくすることができるため、測定精度が向上する。
【００９０】
＜変形例１＞
図１６は、全体が８２で表される、本発明の実施の形態２の変形例１による非侵襲血糖値測定装置の構成を示す模式図である。本発明の実施の形態２の変形例１では、可視光検出器７２は、互いに直交する２方向にマトリックス状（アレイ状）に配置された複数の画素（半導体光素子）７３を含む。
【００９１】
可視光検出器７２をアレイにすることによって、画素７３ごとに可視光の強度を検出することができる。したがって、可視光の光量が最も大きい位置を細やかに特定することができる。これにより、ＡＴＲプリズム２０からの可視光の出射角度を高精度に検出することができる。したがって、出射角度の変化量から、発生した熱量、つまり生体物質の量を高精度に測定することができる。
【００９２】
図１６には、１２個の画素７３が示されているが、画素７３の数はこれに限定されない。可視光検出器７２は、イメージセンサであってもよい。
【００９３】
＜変形例２＞
図１７は、全体が８３で表される、本発明の実施の形態２の変形例２による非侵襲血糖値測定装置の構成を示す模式図である。本発明の実施の形態２の変形例２では、可視光源７１は、互いに直交する２方向にマトリックス状（アレイ状）に配置された複数の光源素子７４を含む。
【００９４】
複数の光源素子７４は、同じ波長の可視光を放射するものであってもよい。複数の光源素子７４は、異なる位置に配置されているため、各光源素子７４から放射された可視光は、異なる位置または入射角でＡＴＲプリズム２０に入射する。したがって、各光源素子７４から放射された可視光は、皮膚４９の異なる位置にそれぞれ入射する。皮膚４９への入射位置が異なれば、温度による影響が異なるため、ＡＴＲプリズム２０からの各可視光の出射角度の温度による変化がそれぞれ異なる。可視光の入射位置の差による出射角度の変化を算出することにより、測定精度を向上させることができる。
【００９５】
以上と異なり、複数の光源素子７４のうちの少なくとも１つは、他の光源素子７４と異なる波長の可視光を放射するものであってもよい。可視光の波長の違いによる出射角度の変化を算出することにより、測定精度を向上させることができる。
【００９６】
本発明の実施の形態２の変形例２においても、ハイパボリックメタマテリアル９０を用いることにより、可視光の出射角度を更に大きく変化させることができる。つまり、生体物質による可視光の吸収量がわずかであっても、出射角度の変化を大きくすることができるため、測定精度が向上する。
【符号の説明】
【００９７】
１０  吸収体、１１  波長選択構造部、２０  ＡＴＲプリズム、３０  赤外光検出器、３２  赤外光源、５２  制御部、５４  ユーザインタフェース、７１  可視光源、７２  可視光検出器、７４  光源素子、８０  非侵襲血糖値測定装置、９０  ハイパボリックメタマテリアル、９１  金属層、９２  誘電体層、９３  欠陥層、１００  光素子、１０００  センサアレイ、１０１０  検出回路。
【図１】
2019176157.tif 000013
【図２】
2019176157.tif 000014
【図３】
2019176157.tif 000015
【図４】
2019176157.tif 000016
【図５ａ】
2019176157.tif 000017
【図５ｂ】
2019176157.tif 000018
【図５ｃ】
2019176157.tif 000019
【図６】
2019176157.tif 000020
【図７】
2019176157.tif 000021
【図８】
2019176157.tif 000022
【図９】
2019176157.tif 000023
【図１０】
2019176157.tif 000024
【図１１】
2019176157.tif 000025
【図１２】
2019176157.tif 000026
【図１３】
2019176157.tif 000027
【図１４】
2019176157.tif 000028
【図１５】
2019176157.tif 000029
【図１６】
2019176157.tif 000030
【図１７】
2019176157.tif 000031
【手続補正書】
【提出日】平成31年3月13日(2019.3.13)
【手続補正１】
【補正対象書類名】特許請求の範囲
【補正対象項目名】全文
【補正方法】変更
【補正の内容】
【特許請求の範囲】
【請求項１】
第１の光を放射する第１の光源と、
表面と裏面を有し、一端から入射した前記第１の光が内部を透過して他端から出射するＡＴＲプリズムと、
表面と裏面を有し、前記ＡＴＲプリズムの表面上に前記裏面が接するように配置されたハイパボリックメタマテリアル層と、
前記ＡＴＲプリズムから出射された前記第１の光を検出する第１の光検出器と、
を備え、
前記ハイパボリックメタマテリアル層は、金属を含む金属層と誘電体層とが、前記ＡＴＲプリズムの表面に垂直な方向に、交互に積層された構造を有し、
検出された前記第１の光から生体中の生体物質の量を測定する生体物質測定装置。
【請求項２】
前記ハイパボリックメタマテリアル層の層数、厚さおよび材料は、前記ハイパボリックメタマテリアル層に前記第１の光が入射することによって表面プラズモン共鳴が生じるように決定された、請求項１に記載の生体物質測定装置。
【請求項３】
前記ハイパボリックメタマテリアル層の層数、厚さおよび材料は、温度変化によって前記ハイパボリックメタマテリアル層の光学定数が変化するように決定された、請求項１または２に記載の生体物質測定装置。
【請求項４】
前記ハイパボリックメタマテリアル層の前記金属層の厚さおよび／または前記誘電体層の厚さは、前記第１の光の波長の１／４より小さい、請求項１〜３のいずれかに記載の生体物質測定装置。
【請求項５】
前記ハイパボリックメタマテリアル層の前記金属層と前記誘電体層のうち少なくとも一層は、他の層の厚さと異なる厚さを有し、前記他の層の厚さは等しい、請求項１〜４のいずれかに記載の生体物質測定装置。
【請求項６】
第１の光を放射する第１の光源と、
表面と裏面を有し、一端から入射した前記第１の光が内部を透過して他端から出射するＡＴＲプリズムと、
表面と裏面を有し、前記ＡＴＲプリズムの表面上に前記裏面が接するように配置されたハイパボリックメタマテリアル層と、
前記ＡＴＲプリズムから出射された前記第１の光を検出する第１の光検出器と、
を備え、
前記ハイパボリックメタマテリアル層は、金属を含み、前記ＡＴＲプリズムの表面に垂直な方向を中心軸とする柱形状を有する金属ロッドと、前記金属ロッドの前記中心軸に垂直な径方向の周囲を埋める誘電体と、を含み、
検出された前記第１の光から生体中の生体物質の量を測定する生体物質測定装置。
【請求項７】
前記ハイパボリックメタマテリアル層の金属ロッドは、前記径方向に１次元的または２次元的に周期的に配列され、前記金属ロッドの太さ、配列の周期および材料は、前記ハイパボリックメタマテリアル層に前記第１の光が入射することによって表面プラズモン共鳴が生じるように決定された、請求項６に記載の生体物質測定装置。
【請求項８】
前記ハイパボリックメタマテリアル層の金属ロッドは、前記径方向に１次元的または２次元的に周期的に配列され、前記金属ロッドの太さ、配列の周期および材料は、温度変化によって前記ハイパボリックメタマテリアル層の光学定数が変化するように決定された、請求項６または７に記載の生体物質測定装置。
【請求項９】
前記ハイパボリックメタマテリアル層の前記金属ロッドの太さおよび／または配列の周期は、前記第１の光の波長の１／４より小さい、請求項６〜８のいずれかに記載の生体物質測定装置。
【請求項１０】
前記金属ロッドのうちの少なくとも１つは、他の金属ロッドの太さと異なる太さを有する、請求項６〜９のいずれかに記載の生体物質測定装置。
【請求項１１】
前記ＡＴＲプリズムに入射した前記第１の光は、前記ＡＴＲプリズムの裏面と、前記ＡＴＲプリズムの表面および／または前記ハイパボリックメタマテリアル層の表面とで反射されて前記ＡＴＲプリズム中を透過し、
前記ハイパボリックメタマテリアル層を生体に接触させて、前記生体により吸収された前記第１の光の量から前記生体中の生体物質の量を測定する、請求項１〜１０のいずれかに記載の生体物質測定装置。
【請求項１２】
前記第１の光検出器は、その表面に、互いに離れて、１方向にまたは互いに交差する２方向に一定の周期で配置された、少なくとも表面が金属からなる複数の凹部または凸部を有し、
前記一定の周期は、前記第１の光の入射によって前記凹部または前記凸部に表面プラズモンが発生する周期である、
請求項１〜１１のいずれかに記載の生体物質測定装置。
【請求項１３】
前記第１の光源、前記ＡＴＲプリズム、前記第１の光検出器および前記ハイパボリックメタマテリアル層は、前記ＡＴＲプリズムから出射された前記第１の光が前記第１の光検出器の表面に垂直に入射するように配置された、請求項１〜１２のいずれかに記載の生体物質測定装置。
【請求項１４】
前記第１の光は赤外光である、請求項１〜１３のいずれかに記載の生体物質測定装置。
【請求項１５】
第２の光を放射する第２の光源を更に備え、
前記ＡＴＲプリズムに入射した前記第１の光は、前記ＡＴＲプリズムの裏面と、前記ＡＴＲプリズムの表面および／または前記ハイパボリックメタマテリアル層の表面とで反射されて前記ＡＴＲプリズム中を透過し、
前記ハイパボリックメタマテリアル層を生体に接触させた状態で前記生体に前記第２の光を照射し、前記生体中の生体物質が前記第２の光を吸収して生じた熱による前記第１の光の変化から前記生体物質の量を測定する、
請求項１〜１４のいずれかに記載の生体物質測定装置。
【請求項１６】
前記第１の光の前記変化は、前記熱による前記ＡＴＲプリズムおよび／または前記ハイパボリックメタマテリアル層の屈折率の変化に起因する前記第１の光の出射角度の変化である、請求項１５に記載の生体物質測定装置。
【請求項１７】
前記第１の光検出器は、異なる位置に配置された複数の第１の光検出器であり、
前記生体物質の量は、前記異なる位置におけるそれぞれの第１の光の強度と位置データとを用いて算出される、請求項１５または１６に記載の生体物質測定装置。
【請求項１８】
前記第１の光は可視光であり、前記第２の光は赤外光である、請求項１５〜１７のいずれかに記載の生体物質測定装置。
【請求項１９】
前記第１の光源は、互いに異なる波長の第１の光を放射する複数の第１の光源である、請求項１５〜１８のいずれかに記載の生体物質測定装置。
【請求項２０】
前記金属は、グラフェンを含む、請求項１〜１９のいずれかに記載の生体物質測定装置。
【国際調査報告】
2019176157.tif 000032
2019176157.tif 000033
2019176157.tif 000034
2019176157.tif 000035